(57)【要約】【課題】スチームアイロンの気化室に入る水量を制御するための水量制御装置を備えたスチームアイロンを提供する。【解決手段】本考案のスチームアイロンは、気化室を形成するベースと、ベースより上に配設され下部部材を有する貯水室と、ベース及び水タンク下部部材の間に連結され、気化室に連通している受皿装置と、水タンクに配設されていて、流通経路と連結するバルブ口を形成するバルブシートと、バルブ口を開閉するように電磁気で移動させることが可能である封止栓と、ソレノイド・バルブに組み合わされ、貯水室から過剰な水が気化室に供給されることを防止するために、封止栓によってバルブ口の開閉時間を自動制御するコントローラと、を備える。【選択図】      図６
0003146824.tif 000002
【実用新案登録請求の範囲】
【請求項１】
気化室が内設され、前記気化室と連通するスチーム孔が形成されたベースプレートを備えたベースと、
前記ベースより上に配設され、貯水室を内設し、前記貯水室の底面が下部部材にて画成されてなる水タンクと、
前記ベースと前記水タンクの前記下部部材との間を連結し、前記気化室と連通する水の流通経路を備えた受皿装置と、
前記水タンクに配設されたソレノイド・バルブと、前記ソレノイド・バルブと連結するコントローラと、を備えた水量制御装置と
を有し、
前記ソレノイド・バルブは、前記水タンクの前記下部部材を経て前記受皿装置に延伸し、前記流通経路と前記貯水室に連通するバルブ口を形成するバルブシートを備え、
前記ソレノイド・バルブは、さらに前記バルブ口の開閉をするために往復するよう電磁気で操作可能な封止栓を備え、
前記コントローラは、前記貯水室から過剰な水が前記バルブ口を経て前記気化室に供給されることを防止するために前記封止栓によってバルブ口の開閉時間を自動制御することを特徴とするスチームアイロン。
【請求項２】
前記貯水室はさらに、前記下部部材と協同するトップカバーとにより画成されるものとし、
前記トップカバーには、前記貯水室と連通する貯水室連通孔が設けられた筒体からなるバルブ取付部が形成されてあり、
前記ソレノイド・バルブは、前記バルブ取付部に取り付けられ、前記トップカバーには前記貯水室連通孔と連通するバルブ連通孔が設けられてある収納室が内設されたバルブハウジングをさらに備え、
前記封止栓は、前記収納室内に往復可能に設置され、
前記バルブシートは、筒状をして電磁石に相対するよう前記収納室内に密にはめ込まれ、前記電磁石をバルブ口から抜くと前記バルブ口は前記収納室と連通することができる、請求項１に記載のスチームアイロン。
【請求項３】
前記ソレノイド・バルブは、
その心孔に前記封止栓と一体に接続された鉄心を備え、前記封止栓と間をあけて前記バルブハウジングに固定された前記電磁石と、
前記バルブハウジングに嵌め込まれて鉄心と封止栓とを上下動可能に懸持する吊り具と、
前記電磁石が励磁されたときに、前記鉄心を介して前記封止栓を上昇させることにより前記バルブ口を開け、前記電磁石が励磁されないときはその復帰弾力によって前記バルブ口を閉めるよう前記鉄心と共に前記封止栓を下降させるためのコイルばねと、
をさらに備えてなる請求項２に記載のスチームアイロン。
【請求項４】
前記ソレノイド・バルブは、
さらに前記電磁石の下端に一体固定されて前記バルブハウジングとの間に筒状の隙間を形成する把持筒を備え、
前記吊り具は、一端が前記隙間に嵌まる筒部と他端がＵの字状に湾曲してフレキシブルに前記封止栓を把持する把持部とが連結されてなる請求項３に記載のスチームアイロン。
【請求項５】
前記吊り具および前記封止栓は、シリコーン材により一体に形成されてなる、請求項４に記載のスチームアイロン。
【請求項６】
前記ベースは、
前記ベースプレートに設置されて前記気化室を画成する蒸気生成ケーシングと、
前記ベースプレートに載置され、前記コントローラと連結され、前記ベースプレートを加熱するための第１のヒータと、
前記蒸気生成ケーシングに載置され、前記コントローラと連結され、前記蒸気生成ケーシングを加熱するための第２のヒータと、
をさらに備えてなる請求項４に記載のスチームアイロン。
【請求項７】
前記水量制御装置は、
前記ベースプレートに配置され、前記コントローラに連結して前記ベースプレートの温度を検出するための温度検知素子をさらに備える請求項４に記載のスチームアイロン。
【請求項８】
前記ベースは、
前記ベースプレートに設けられて前記気化室を画成する蒸気生成ケーシングと、
前記ベースプレートに設けられて、前記ベースプレートを加熱するための前記コントローラと連結する第１のヒータと、
前記蒸気生成ケーシングに載置され、前記コントローラと連結し、前記蒸気生成ケーシングを加熱するための第２のヒータと、
をさらに備える請求項１に記載のスチームアイロン。
【請求項９】
前記水量制御装置は、前記ベースプレートに配置され、前記コントローラに連結して前記ベースプレートの温度を検出するための温度検知素子をさらに備える請求項１に記載のスチームアイロン。
【請求項１０】
前記ベースは、
前記ベースプレートに設けられ、前記気化室を画成する蒸気生成ケーシングと、
前記ベースプレートに組み合わされた前記ベースプレート及び前記蒸気生成ケーシングを覆うための上部カバーと、を備え、
前記受皿装置は、
トレイ嵌入孔が形成され、前記水タンクの前記下部部材及び前記上部カバーと組み合わされた取付ケースと、
前記貯水室から前記バルブ口を経て水を溜めるために、前記取付ケースの前記トレイ嵌入孔にはめこまれた受け皿と、を備え、
前記受け皿には、滴下孔及び第１及び第２の通路を有し、協同して前記水の流通経路を形成し、
前記第２の通路は、前記上部カバーを貫通して前記気化室に伸びる筒部材によって形成されてなる、請求項１に記載のスチームアイロン。
【考案の詳細な説明】
【技術分野】
【０００１】
本考案は、スチームアイロンに関し、特にスチームアイロンの気化室に入る水量を制御することにより、気化室から排出される蒸気の量を調整することができるスチームアイロンに関する。
【背景技術】
【０００２】
図１は、従来のスチームアイロンを示す。従来のスチームアイロン１は、水タンク１３を備えたハウジング１１と、ハウジング１１の底の部分に配置されているベースプレート１２０を含むベース１２により構成されている。ベースプレート１２０は気化室１２２に隣接し、気化室１２２と連通するスチーム孔１２３が形成されている。気化室１２２は、ベース１２の上部に設けられた点滴孔１２１を通じて水タンク１３と連結している。スチームアイロン１はさらに、ベースプレート１２０に隣接する位置に配設されたベースプレート１２０を加熱するためのヒータ１５と、操作部１４１と操作部１４１の底端部に一体連接するロッド１４２を有する給水弁１４とを備えている。操作部１４１は、点滴孔１２１をふさいで水タンク１３から水が気化室１２２に流出することを防止するロッド１４２の底端部を上下動させることができる。操作部１４１がロッド１４２の上部に移動して、点滴孔１２１から離れると、水は水タンク１３から気化室１２２に流れ出ることができる。ベースプレート１２０は、ヒータ１５によって通常１３０度以上まで加熱され、それにより気化室１２２に滴下される水は蒸気となる。そして、蒸気はスチーム孔１２３を経てスチームアイロン１から排出される。
【考案の開示】
【考案が解決しようとする課題】
【０００３】
しかしながら、従来のスチームアイロン１には気化室１２２に入る水量を制御するための制御装置が設けられていないため、過剰な水が気化室１２２に滴下され、ベースプレート１２０の温度が低下して、気化室１２２に凝縮した蒸気が液体となり、スチーム孔１２３からこぼれ出ることがある。
【０００４】
本考案の目的は、スチームアイロンの気化室に入る水量を制御するための水量制御装置を備えたスチームアイロンを提供することにある。
【課題を解決するための手段】
【０００５】
本考案のスチームアイロンは、気化室が内設され、前記気化室と連通するスチーム孔が形成されたベースプレートを備えたベースと、前記ベースより上に配設され、貯水室を内設し、前記貯水室の底面が下部部材にて画成されてなる水タンクと、前記ベースと前記水タンクの前記下部部材との間を連結し、前記気化室と連通する水の流通経路を備えた受皿装置と、前記水タンクに配設されたソレノイド・バルブと、前記ソレノイド・バルブと連結するコントローラと、を備えた水量制御装置と、を有し、前記ソレノイド・バルブは、前記水タンクの前記下部部材を経て前記受皿装置に延伸し、前記流通経路と前記貯水室に連通するバルブ口を形成するバルブシートを備え、前記ソレノイド・バルブは、さらに前記バルブ口の開閉をするために往復するよう電磁気で操作可能な封止栓を備え、前記コントローラは、前記貯水室から過剰な水が前記バルブ口を経て前記気化室に供給されることを防止するために前記封止栓によってバルブ口の開閉時間を自動制御することを特徴とする。
【０００６】
前記貯水室はさらに、前記下部部材と協同するトップカバーとにより画成されるものとし、前記トップカバーには、前記貯水室と連通する貯水室連通孔が設けられた筒体からなるバルブ取付部が形成されてあり、前記ソレノイド・バルブは、前記バルブ取付部に取り付けられ、前記トップカバーには前記貯水室連通孔と連通するバルブ連通孔が設けられてある収納室が内設されたバルブハウジングをさらに備え、前記封止栓は前記収納室内に往復可能に設置され、前記バルブシートは、筒状をして電磁石に相対するよう前記収納室内に密にはめ込まれ、前記電磁石をバルブ口から抜くと前記バルブ口は前記収納室と連通することができてもよい。
【０００７】
前記ソレノイド・バルブは、その心孔に前記封止栓と一体に接続された鉄心をそなえ、前記封止栓と間をあけて前記バルブハウジングに固定された前記電磁石と、前記バルブハウジングに嵌め込まれて鉄心と封止栓とを上下動可能に懸持する吊り具と、前記電磁石が励磁されたときに、前記鉄心を介して前記封止栓を上昇させることにより前記バルブ口を開け、前記電磁石が励磁されないときはその復帰弾力によって前記バルブ口を閉めるよう前記鉄心と共に前記封止栓を下降させるためのコイルばねと、をさらに備えていてもよい。
【０００８】
前記ソレノイド・バルブは、さらに前記電磁石の下端に一体固定されて前記バルブハウジングとの間に筒状の隙間を形成する把持筒をそなえ、前記吊り具は一端が前記隙間に嵌まる筒部と他端がＵの字状に湾曲してフレキシブルに前記封止栓を把持する把持部とが連結されていてもよい。
【０００９】
前記吊り具および前記封止栓は、シリコーン材により一体に形成されていてもよい。
【００１０】
前記ベースは、前記ベースプレートに設置されて前記気化室を画成する蒸気生成ケーシングと、前記ベースプレートに載置され、前記コントローラと連結され、前記ベースプレートを加熱するための第１のヒータと、前記蒸気生成ケーシングに載置され、前記コントローラと連結され、前記蒸気生成ケーシングを加熱するための第２のヒータと、をさらに備えていてもよい。
【００１１】
前記水量制御装置は、前記ベースプレートに配置され、前記コントローラに連結して前記ベースプレートの温度を検出するための温度検知素子をさらに備えていてもよい。
【００１２】
前記ベースは、前記ベースプレートに設けられて前記気化室を画成する蒸気生成ケーシングと、前記ベースプレートに設けられて、前記ベースプレートを加熱するための前記コントローラと連結する第１のヒータと、前記蒸気生成ケーシングに載置され、前記コントローラと連結し、前記蒸気生成ケーシングを加熱するための第２のヒータと、をさらに備えていてもよい。
【００１３】
前記水量制御装置は、前記ベースプレートに配置され、前記コントローラに連結して前記ベースプレートの温度を検出するための温度検知素子をさらに備えていてもよい。
【００１４】
前記ベースは、前記ベースプレートに設けられ、前記気化室を画成する蒸気生成ケーシングと、前記ベースプレートに組み合わされた前記ベースプレート及び前記蒸気生成ケーシングを覆うための上部カバーと、を備え、前記受皿装置は、トレイ嵌入孔が形成され、前記水タンクの前記下部部材及び前記上部カバーと組み合わされた取付ケースと、前記貯水室から前記バルブ口を経て水を溜めるために、前記取付ケースの前記トレイ嵌入孔にはめこまれた受け皿と、を備え、前記受け皿には、滴下孔及び第１及び第２の通路を有し、協同して前記水の流通経路を形成し、前記第２の通路は、前記上部カバーを貫通して前記気化室に伸びる筒部材によって形成されていてもよい。
【考案の効果】
【００１５】
本考案によれば、封止栓によりバルブ口の開閉時間を自動制御するため、過剰な水が貯水室から気化室に供給されることを防ぎ、アイロン掛けの品質を高めることができる。
【考案を実施するための最良の形態】
【００１６】
図２〜８を参照する。本考案の好ましい実施例によるスチームアイロン２００は、ベース２と、受皿装置３と、水タンク５と、水量制御装置６と、グリップ７と、からなる。  
ベース２は、ベースプレート２１と、蒸気生成ケーシング２２と、ベースプレート２１と連結して、ベースプレート２１と蒸気生成ケーシング２２とをカバーする上部カバー２５と、を備える。
【００１７】
ベースプレート２１は、アルミニウムからなり、複数のスチーム孔２１１（図４を参照）が形成されている。  
第１のヒータ２３は、ベースプレート２１を加熱するために、ベースプレート２１上に配置されている。
【００１８】
蒸気生成ケーシング２２は、ベースプレート２１上に載置され、ベースプレート２１と協同してそれらの間に蒸気流通経路２１２を形成する。  
蒸気生成ケーシング２２には、気化室２２１が内設され、気化室２２１と連結してその上面に設けられた注水口２２２と、その後尾付近に設けられ、気化室２２１と蒸気流通経路２１２に連結する２つのスチーム孔２２３（１つのみ図４に示す）と、を備える。
【００１９】
第２のヒータ２４は、蒸気生成ケーシング２２を加熱するために、蒸気生成ケーシング２２にはめ込まれ、その温度は第１のヒータ２３より高く設定されている。  
受皿装置３は、上部カバー２５と連結してその上部に配設され、トレイ嵌入孔３５１が形成されている取付ケース３５と、滴下孔３３１を有しトレイ嵌入孔３５１にはめ込まれる受け皿３１と、滴下孔３３１と連通する第１および第２の通路３３２、３３３と、を備える。
【００２０】
第１の通路３３２は、滴下孔３３１より大きい直径を有する。  
滴下孔３３１と第１及び第２の通路３３２、３３３は、協同して流通経路Ｉを形成する。  
第２の通路３３３は、上部カバー２５と気化室２２１に伸びる筒部材３２によって形成される。
【００２１】
シリコーンからなる一体成形型防水パッキング３１２は、受け皿３１の頂端部に接続し、パーティション３１４を有する。  
受け皿３１とパーティション３１４は、協同して流通経路Ｉと連結する水収集スペース３１３を形成する。
【００２２】
水タンク５は受皿装置３より上に配設されている。それにより、受皿装置３はベース２と水タンク５との間に配置される。  
水タンク５は、接続されているトップカバー５２及び下部部材５１と、それらの間に位置して協同で形成する貯水室５３と、を備える。
【００２３】
トップカバー５２は、貯水室５３と連通する貯水室連通孔５４（図６〜８を参照）が設けられた筒体５２１からなるバルブ取付部５２２が形成されている。取付ケース３５は、下部に配設され、下部部材５１に連結する。下部部材５１は、水収集スペース３１３と対応する位置に連通孔５５（図６〜８を参照）と共に形成される。
【００２４】
水量制御装置６は、ソレノイド・バルブ６１と、コントローラ６３（図２を参照）と、温度検知素子６２（図３を参照）と、を備える。  
ソレノイド・バルブ６１は、バルブ取付部５２２に載置され、バルブハウジング６１１と、バルブシート６１８と、電磁石６１２と、鉄心６１３と、コイルばね６１４と、環状把持筒６１５と、吊り具６１６と、封止栓６２１と、を有する。
【００２５】
バルブハウジング６１１は、電磁石６１２と鉄心６１３とコイルばね６１４と把持筒６１５と吊り具６１６と封止栓６２１とを備える収納室６１０を形成し、収納室６１０及び貯水室連通孔５４と連通する２つのバルブ連通孔６１７が形成されている。貯水室連通孔５４も、収納室６１０に連通している。バルブシート６１８は、バルブハウジング６１１に連結し、連通孔５５に延伸して水収集スペース３１３に入り、水収集スペース３１３および流通経路Ｉと連結するバルブ口６１８１を形成する。
【００２６】
電磁石６１２は、その心孔６１９に封止栓６２１と一体に接続された鉄心６１３をそなえ、封止栓６２１と間を開けてバルブハウジング６１１に固定されている。  
鉄心６１３は、その心孔６１９に封止栓６２１と一体に接続され、電磁石６１２が励磁されたとき引き寄せられることにより、心孔６１９の中に到達し、心孔６１９の外側に伸びる下部を有する。
【００２７】
コイルばね６１４は、電磁石６１２が励磁されたときに、鉄心６１３を介して封止栓６２１を上昇させることによりバルブ口６１８１を開け、電磁石６１２が励磁されないときはその復帰弾力によってバルブ口６１８１を閉めるよう鉄心６１３と共に封止栓６２１を下降させるよう心孔６１９の外側に配設され、鉄心６１３の底部にスリーブがつけられている。
【００２８】
把持筒６１５は、電磁石６１２の底部に一体固定されて、バルブハウジング６１１との間に筒状の隙間６１５１を形成する。  
吊り具６１６は、バルブハウジング６１１にはめ込まれて鉄心６１３と封止栓６２１とを上下動可能に懸持し、一端が隙間６１５１に嵌まる筒部６２２と他端がＵの字状に湾曲してフレキシブルに封止栓６２１を把持する把持部６２０とが連結されてなる。
【００２９】
筒部６２２は、水が貯水室連通孔５４とバルブ連通孔６１７と収納室６１０とを通過するときに、貯水室５３の水が電磁石６１２と接触することを防止するために、電磁石６１２の底面をカバーする。
【００３０】
封止栓６２１は、鉄心６１３としっかりと連接され、バルブ口６１８１の開閉を電磁気で操作することができる。  
把持部６２０は、筒部６２２に対応して封止栓６２１が移動できるように筒部６２２および封止栓６２１を相互接続する。
【００３１】
本実施例において、吊り具６１６および封止栓６２１は、シリコーン材からなる単一部材である。  
好ましくは、バルブシート６１８は、封止栓６２１の方へ収納室６１０の中に延伸して封止される。  
封止栓６２１がバルブ口６１８１を塞がないとき、バルブ口６１８１は収納室６１０と連通している。
【００３２】
電磁石６１２が励磁されると、鉄心６１３及び封止栓６２１はバルブ口６１８１から離され、そして、受け皿３１はバルブ口６１８１を通じて貯水室５３からの水を受ける。  
コイルばね６１４は、鉄心６１３及び封止栓６２１をバルブ口６１８１の方へ片寄らせるために、電磁石６１２及び封止栓６２１にそれぞれ隣接する２つの対向端部を有する。これにより、電磁石６１２が作動しないときバルブ口６１８１が閉じられる。
【００３３】
コントローラ６３（図２を参照）は、グリップ７（図２）の内部に配設され、ソレノイド・バルブ６１と第１及び第２のヒータ２３、２４に連結する。  
温度検知素子６２は、ベースプレート２１の温度を検出するためにベースプレート２１上に配設されている。  
コントローラ６３は、導線（図示せず）を介して電磁石６１２と温度検知素子６２に連結されている。
【００３４】
図２に示すように、グリップ７は、水タンク５のトップカバー５２に接続され、使用される蒸気の状態を表示するディスプレイパネル７１（図２を参照）と、コントローラ６３を起動するための操作部７２と、を備える。
【００３５】
図３、６、７、８を参照すると、スチームアイロン２００のスイッチが入ると、第１及び第２のヒータ２３、２４はそれぞれベースプレート２１と蒸気生成ケーシング２２を加熱する。
【００３６】
第２のヒータ２４が第１のヒータ２３より高い温度に設定されるので、ベースプレート２１が第１の予備設定温度まで加熱されるようにベースプレート２１の温度設定が調整されるとき、蒸気生成ケーシング２２は同時に第１の高温まで過熱される。
【００３７】
本実施例において、第１の予備設定温度は約１０７℃であり、そして、第１の高温は約１４０℃である。  
ベースプレート２１の温度が第１の予備設定温度に達したことを温度検知素子６２が感知すると、温度検知素子６２は電子信号をコントローラ６３に発信し、ディスプレイパネル７１は関連情報を表示するために制御される。
【００３８】
ユーザは、操作部７２を押圧することによって、第１の操作モードでソレノイド・バルブ６１の動作を制御するために、コントローラ６３を作動させる。  
第１の操作モードにおいて、電磁石６１２はコントローラ６３によって励磁される。そうすると、鉄心６１３は電磁石６１２の磁気によって封止栓６２１と共にバルブ口６１８１から上に向かって引き寄せられる。そして、コイルばね６１４は封止栓６２１によって圧縮される。
【００３９】
この時、封止栓６２１は閉塞位置（図６に示すバルブ口６１８１が閉じられた位置）から、開放位置（図７及び８に示すバルブ口６１８１が開けられた位置）に移動し、これにより貯水室５３の水が貯水室連通孔５４、バルブ連通孔６１７、収納室６１０、バルブ口６１８１、水収集スペース３１３、流通経路Ｉの中を流れることができ、気化室２２１に流出する。
【００４０】
封止栓６２１は１．５秒間開放位置に残り、その後、電磁石６１２がコントローラ６３によって励磁されないとき、鉄心６１３が下降する。封止栓６２１はコイルばね６１４の復帰弾力によって図７及び８に示す開放位置から図６に示す閉塞位置へ移動する。水は、この時点で貯水室５３から気化室２２１へと流れ出ることを妨げられる。その後、封止栓６２１は２秒間閉塞位置に残り、それから、電磁石６１２はコントローラ６３によって励磁され、鉄心６１３は磁気によってまた上方へ引き上げられ、封止栓６２１は再び開放位置へ移動する。それ故、封止栓６２１は開放位置に１．５秒残った後、閉塞位置に２秒間移動し、それから１．５秒間開放位置へ戻るなど、開放位置と閉塞位置の間を移動する。このように、コントローラ６３は、貯水室５３から気化室２２１に過剰な水量が供給されることを防ぐために、バルブ口６１８１の開閉時間を自動制御することができる。
【００４１】
ソレノイド・バルブ６１が第１の操作モードにあれば、封止栓６２１の開閉時間はこの実施例に限定されることなく、必要に応じて調整することができる。
【００４２】
ベースプレート２１の温度が１０７℃で、蒸気生成ケーシング２２の温度が１４０℃であるので、水収集スペース３１３の水が流通経路Ｉを通って気化室２２１に流れるとき、水は気化し蒸気となる。気化室２２１の蒸気は、スチーム孔２２３（図４を参照）を通って蒸気流通経路２１２に進入する。蒸気流通経路２１２を経て、蒸気はスチーム孔２１１を通ってベースプレート２１からアイロンをかけるものの上に排出される。ベースプレート２１が低温によるアイロン掛けを実行するよう調節される場合であっても、気化室２２１は引き続き蒸気を供給することができ、また、このスチームアイロンに用いられる蒸気は、液化してスチーム孔２１１を経てベースプレート２１からアイロンを掛けるものの上にこぼれ落ちることもない。
【００４３】
気化室２２１の水により蒸気生成ケーシング２２の温度が下げることがあるので、本実施例では蒸気生成ケーシング２２の温度が約１２５℃に下がったとき、第２のヒータ２４が約１４０度に再加熱し、それにより気化室２２１の水が確実に気化して蒸気になることができる効果を有する。
【００４４】
再度、図３、６、７、８を参照すると、ベースプレート２１が第１の予備設定温度より高い第２の予備設定温度まで加熱されるとき、蒸気生成ケーシング２２は同時に第２の高温まで加熱される。
【００４５】
本実施例において、第２の予備設定温度は約１４５℃であり、そして、第２の高温は約１７５℃に設定される。  
温度検知素子６２がベースプレート２１の温度が第２の予備設定温度に達したことを感知すると、コントローラ６３に電子信号を発信する。そして、ユーザは第２の操作モードのソレノイド・バルブ６１の動作を制御するために、操作部７２を押圧することでコントローラ６３を作動させる。
【００４６】
第２の操作モードにおいて、電磁石６１２はコントローラ６３によって鉄心６１３を励磁し上方へ引き寄せる。そして、封止栓６２１は図６に示す閉塞位置から図７及び８に示す開放位置へ移動する。
【００４７】
封止栓６２１が開放位置に滞留することにより、貯水室５３の水は貯水室連通孔５４、バルブ連通孔６１７、収納室６１０、バルブ口６１８１、水収集スペース３１３、流通経路Ｉの中を流れ続けて、気化室２２１に流出する。この動作によって、気化室２２１の水量は、増加する。
【００４８】
本実施例において、例えば、ソレノイド・バルブ６１が第２の操作モードにあるときに気化室２２１内に流入する貯水室５３の水量は、ソレノイド・バルブ６１が第１の操作モードにある同一時間内に気化室２２１内に流入する水量の倍となる。
【００４９】
第１および第２の操作モードにおいて気化室２２１に供給される水量は、この実施例に限定されることなく、必要に応じて調整することができる。  
但し、ソレノイド・バルブ６１が第２の操作モードにおける、気化室２２１に供給される水量は、ソレノイド・バルブ６１が第１の操作モードにおける気化室２２１に供給される水量より多いことが好ましい。
【００５０】
上述のように、ベースプレート２１が第２の予備設定温度まで加熱されるとき、蒸気生成ケーシング２２の温度は第２の高温まで加熱される。  
蒸気生成ケーシング２２の温度がベースプレート２１のそれよりも高く設定されるので、気化室２２１内に流入している水が増加していても、気化室２２１の水は同様に完全に気化し、蒸気となる。その結果、スチーム孔２１１は大量の蒸気を排出することができる。
【００５１】
更に、スチームアイロン２００が蒸気を供給することを停止するため、封止栓６２１をバルブ口６１８１を閉める閉塞位置に戻すよう、操作部７２が再び押圧される。  
ベースプレート２１の温度が第１および第２の予備設定温度の間にあるようにベースプレート２１の温度設定が再び調整されるとき、蒸気生成ケーシング２２の温度は第１の高温に戻り、その結果、ソレノイド・バルブ６１は第１の操作モードに戻される。このため、ベースプレート２１の温度設定が調整されるとき、ソレノイド・バルブ６１は貯水室５３から気化室２２１に流れる水量を制御するために第１又は第２の操作モードを作動することができる。これにより気化室２２１の蒸気の量を調整する。その結果、アイロン掛けの品質を高め、本考案の目的を達成することができる。
【００５２】
本考案は最も実際的で好適な実施例であると考えられるものを記載したが、本考案はこの実施例に限定されることなく、最も幅広い解釈と同等のアレンジを含む様々な変化をカバーするものとする。
【図面の簡単な説明】
【００５３】
【図１】従来のスチームアイロンの一部断面側面図である。
【図２】本考案の実施例によるスチームアイロンの概略上面図である。
【図３】グリップを省いた本考案の実施例の分解斜視図である。
【図４】好ましい実施例におけるベースの一部断面上面図である。
【図５】好ましい実施例におけるベース上に配置されている受皿装置を示す概略上面図である。
【図６】好ましい実施例におけるバルブ口を閉めている封止栓を示す部分断面側面図である。
【図７】図６と類似するが、バルブ口を開くために上方へ移動した封止栓を示す図である。
【図８】流体がどのようにスチームアイロン内に流入するかについて説明する図７の部分拡大断面図である。
【符号の説明】
【００５４】
２…ベース、２００…スチームアイロン、２１…ベースプレート、２１１…スチーム孔、２１２…蒸気流通経路、２２…蒸気生成ケーシング、２２１…気化室、２２２…注水口、２２３…スチーム孔、２３…第１のヒータ、２４…第２のヒータ、２５…上部カバー、３受皿装置、３１…受け皿、３１２…一体成形型防水パッキング、３１３…水収集スペース、３１４…パーティション、３２…筒部材、３３１…滴下孔、３３２…第１の通路、３３３…第２の通路、３５…取付ケース、３５１…トレイ嵌入孔、５…水タンク、５１…下部部材、５２…トップカバー、５２１…筒体、５２２…バルブ取付部、５３…貯水室、５４…貯水室連通孔、５５…連通孔、６…水量制御装置、６１…ソレノイド・バルブ、６１０…収納室、６１１…バルブハウジング、６１２…電磁石、６１３…鉄心、６１４…コイルばね、６１５…把持筒、６１５１…隙間、６１６…吊り具、６１７…バルブ連通孔、６１８…バルブシート、６１８１…バルブ口、６１９…心孔、６２…温度検知素子、６２０…把持部、６２１…封止栓、６２２…筒部、６３…コントローラ、７…グリップ、７１…ディスプレイパネル、７２…操作部、Ｉ…流通経路。
【図１】
0003146824.tif 000003
【図２】
0003146824.tif 000004
【図３】
0003146824.tif 000005
【図４】
0003146824.tif 000006
【図５】
0003146824.tif 000007
【図６】
0003146824.tif 000008
【図７】
0003146824.tif 000009
【図８】
0003146824.tif 000010